(57)【要約】      （修正有）【課題】無線通信に依存することなく、簡単にログデータを収集することが可能なログデータ収集装置、ログデータ収集システム、ログデータ収集方法を提供する。【解決手段】ログデータ収集装置１００は、センサの出力結果をログデータとして生成するログデータ生成部１０１と、生成されたログデータを蓄積するログデータ蓄積部１０２と、ログデータ生成部からログデータを取得してログデータ蓄積部に蓄積する制御を行うログデータ制御部１０３と、ログデータをバーコード化して生成するバーコード生成部１０４と、バーコード生成部が生成するバーコードを表示する表示部１０５と、を備える。ログデータ制御部は、所定時間経過毎に前記ログデータ生成部からログデータを取得してログデータ蓄積部に蓄積すると共にログデータ蓄積部に蓄積されたログデータを読み込んでバーコード生成部に送信し、表示部は、バーコード生成部が生成したバーコードを更新表示する。【選択図】図２
2016184281.tif 000002
【特許請求の範囲】
【請求項１】
センサの出力結果をログデータとして生成するログデータ生成部と、
前記生成されたログデータを蓄積するログデータ蓄積部と、
前記ログデータ生成部からログデータを取得して前記ログデータ蓄積部に蓄積する制御を行うログデータ制御部と、
ログデータをバーコード化して生成するバーコード生成部と、
前記バーコード生成部が生成するバーコードを表示する表示部と、
を備え、
前記ログデータ制御部は、所定時間経過毎に前記ログデータ生成部からログデータを取得して前記ログデータ蓄積部に蓄積すると共に前記ログデータ蓄積部に蓄積されたログデータを読み込んで前記バーコード生成部に送信し、前記表示部は、前記バーコード生成部が生成したバーコードを更新表示することを特徴とするログデータ収集装置。
【請求項２】
前記ログデータ制御部は、前記ログデータ生成部からログデータを取得したときに前記読み込んだログデータとの合算のログ容量を確認し、前記ログ容量がバーコード化可能な容量を越える場合には、前記ログデータ蓄積部に蓄積されたログデータの読み込みを行わないことを特徴とする請求項１に記載のログデータ収集装置。
【請求項３】
パターン入力部と、
前記パターン入力部が入力したパターンを認識するパターン認識部と、
を更に備え、
前記ログデータ制御部は、前記パターン認識部が所定のパターンを認識した場合に前記ログデータ蓄積部に蓄積されたログデータを消去することを特徴とする請求項１に記載のログデータ収集装置。
【請求項４】
前記ログデータ制御部は、前記パターン認識部が所定のパターンを認識した場合に前記ログデータ蓄積部に蓄積されたログデータを消去すると共に更新指示を前記バーコード生成部に送信することを特徴とする請求項１に記載のログデータ収集装置。
【請求項５】
前記更新指示を受信した前記バーコード生成部は、表示すべきログデータが無い旨の表示更新指示を前記表示部に送信することを特徴とする請求項４に記載のログデータ収集装置。
【請求項６】
パターン入力部と、
前記パターン入力部が入力したパターンを認識するパターン認識部と、
を更に備え、
前記ログデータ制御部は、前記パターン認識部が所定のパターンを認識した場合に前記ログデータ蓄積部に蓄積されたログデータのうち前記読み込んだログデータを消去すると共に未だ読み込んでいないログデータを読み込んで前記バーコード生成部に送信することを特徴とする請求項２に記載のログデータ収集装置。
【請求項７】
前記未だ読み込んでいないログデータを読み込んだときにログ容量がバーコード化可能な容量を越えない場合には、終了フラグを含めて前記バーコード生成部に送信することを特徴とする請求項６に記載のログデータ収集装置。
【請求項８】
センサの出力結果をログデータとして生成するログデータ生成ステップと、
前記生成されたログデータを蓄積するログデータ蓄積ステップと、
前記ログデータ生成ステップが生成するログデータを取得して前記ログデータ蓄積ステップにより蓄積する制御を行うログデータ制御ステップと、
ログデータをバーコード化して生成するバーコード生成ステップと、
前記バーコード生成ステップが生成するバーコードを表示する表示ステップと、
を備え、
前記ログデータ制御ステップは、所定時間経過毎に前記ログデータ生成ステップからログデータを取得して前記ログデータ蓄積ステップにより蓄積すると共に前記ログデータ蓄積ステップにより蓄積されたログデータを読み込んで前記バーコード生成ステップに送信し、前記表示ステップは、前記バーコード生成ステップが生成したバーコードを更新表示することを特徴とするログデータ収集方法。
【請求項９】
ログデータ収集装置と携帯端末とを有するログデータ収集システムであって、
前記ログデータ収集装置は、
センサの出力結果をログデータとして生成するログデータ生成部と、
前記生成されたログデータを蓄積するログデータ蓄積部と、
前記ログデータ生成部からログデータを取得して前記ログデータ蓄積部に蓄積する制御を行うログデータ制御部と、
ログデータをバーコード化して生成するバーコード生成部と、
前記バーコード生成部が生成するバーコードを表示する表示部と、
パターン入力部と、
前記パターン入力部が入力したパターンを認識するパターン認識部と、
を備え、
前記携帯端末は
バーコードを撮像する撮像部と、
前記撮像部が撮像したバーコードを認識して対応するログデータに変換する認識変換部と、
前記認識変換部が変換した前記ログデータを記憶するログデータ記憶部と、
前記認識変換部が認識した旨を表すパターンを生成するパターン生成部と、
前記パターン生成部が生成したパターンを出力するパターン出力部と、
を備え、
前記ログデータ収集装置のログデータ制御部は、
前記パターン入力部が入力した前記携帯端末が出力したパターンを前記パターン認識部により所定のパターンであると認識した場合には前記ログデータ蓄積部に蓄積されたログデータを消去すると共に更新指示を前記バーコード生成部に送信することを特徴とするログデータ収集システム。
【発明の詳細な説明】
【技術分野】
【０００１】
本発明は、大規模プラント等におけるログデータ収集装置、ログデータ収集システム、ログデータ収集方法に関する。
【背景技術】
【０００２】
石油プラント、発電プラントに代表される大規模プラント等では、巡回地点の対象設備に関するログ情報（温度情報、気圧情報、対象設備の肉厚減少等の劣化情報等）を収集して保守点検を行う巡回員の作業を支援する技術が知られている。
【０００３】
例えば、巡回技術員が巡視の際に支援サーバのメモリに蓄積されたベテラン技術員の巡視支援情報を対象設備近傍に置かれた微弱無線信号送信手段により携帯端末で受信することを可能にする技術が知られている（特許文献１）。
【０００４】
また例えば、点検に必要なデータを保存した携帯端末をユーザが現場に携帯して、このデータを活用しながら機器の点検にあたることを可能にする技術が知られている（特許文献２）。
【先行技術文献】
【特許文献】
【０００５】
【特許文献１】特開２００９−７０１７３号公報
【特許文献２】特開２０１２−１６８６０６号公報
【発明の概要】
【発明が解決しようとする課題】
【０００６】
しかしながら、セキュリティ上の制約や地域上の制約（例えば電波法による規制）により無線通信（公衆無線通信、小電力無線通信、近距離無線通信等）を使用した機器が利用できない業態がある。また利用できる業態であっても、国ごとに異なる無線通信の規制に関する法律（例えば電波法）を順守するために国ごとに認証を得る必要があるため、ログデータ収集装置、ログデータ収集システムを各地域や各国へ展開するための開発コストと手間がかかるという問題があった。
【０００７】
本発明は、このような従来技術の課題を解決するべく案出されたものであり、その主な目的は、無線通信に依存することなく、簡単にログデータを収集することが可能なログデータ収集装置、ログデータ収集システム、ログデータ収集方法を提供することにある。
【課題を解決するための手段】
【０００８】
本発明のログデータ収集装置は、センサの出力結果をログデータとして生成するログデータ生成部と、前記生成されたログデータを蓄積するログデータ蓄積部と、前記ログデータ生成部からログデータを取得して前記ログデータ蓄積部に蓄積する制御を行うログデータ制御部と、ログデータをバーコード化して生成するバーコード生成部と、前記バーコード生成部が生成するバーコードを表示する表示部と、を備え、前記ログデータ制御部は、所定時間経過毎に前記ログデータ生成部からログデータを取得して前記ログデータ蓄積部に蓄積すると共に前記ログデータ蓄積部に蓄積されたログデータを読み込んで前記バーコード生成部に送信し、前記表示部は、前記バーコード生成部が生成したバーコードを更新表示する。
【発明の効果】
【０００９】
本発明によれば、上述の構成によって、無線通信に依存することなく、簡単にログデータを収集することが可能なログデータ収集装置を提供できる。
【図面の簡単な説明】
【００１０】
【図１】第１実施形態におけるログデータ収集システムの概要図
【図２】第１実施形態におけるログデータ収集装置のブロック図
【図３】第１実施形態における携帯端末のブロック図
【図４】第１実施形態におけるログデータの一例を示す図
【図５】第１実施形態における蓄積されたログデータと生成するバーコードの例を示す図
【図６】第１実施形態におけるログデータ収集システムのシーケンス図
【図７】第１実施形態におけるログデータ収集システムのシーケンス図
【図８】第２実施形態におけるログデータ収集システムのシーケンス図
【図９】第２実施形態における蓄積されたログデータと生成するバーコードの例を示す図
【図１０】第３実施形態におけるログデータ収集装置のブロック図
【図１１】第３実施形態における携帯端末のブロック図
【図１２】第３実施形態におけるログデータ収集システムのシーケンス図
【発明を実施するための形態】
【００１１】
前記課題を解決するためになされた本発明は、センサの出力結果をログデータとして生成するログデータ生成部と、前記生成されたログデータを蓄積するログデータ蓄積部と、前記ログデータ生成部からログデータを取得して前記ログデータ蓄積部に蓄積する制御を行うログデータ制御部と、ログデータをバーコード化して生成するバーコード生成部と、前記バーコード生成部が生成するバーコードを表示する表示部と、を備え、前記ログデータ制御部は、所定時間経過毎に前記ログデータ生成部からログデータを取得して前記ログデータ蓄積部に蓄積すると共に前記ログデータ蓄積部に蓄積されたログデータを読み込んで前記バーコード生成部に送信し、前記表示部は、前記バーコード生成部が生成したバーコードを更新表示することを特徴とするログデータ収集装置である。
【００１２】
これによって、無線通信に依存することなく、簡単にログデータを収集することが可能なログデータ収集装置を提供できる。
【００１３】
また、本発明は更に、前記ログデータ制御部が、前記ログデータ生成部からログデータを取得したときに前記読み込んだログデータとの合算のログ容量を確認し、前記ログ容量がバーコード化可能な容量を越える場合には、前記ログデータ蓄積部に蓄積されたログデータの読み込みを行わないことを特徴とするものである。
【００１４】
これによって、ログデータ収集装置は、ログデータを取得したときにログ容量がバーコード化可能な容量を越える場合であってもログデータの蓄積処理は継続することができる。
【００１５】
また、本発明は更に、パターン入力部と、前記パターン入力部が入力したパターンを認識するパターン認識部と、を更に備え、前記ログデータ制御部は、前記パターン認識部が所定のパターンを認識した場合に前記ログデータ蓄積部に蓄積されたログデータを消去することを特徴とするものである。
【００１６】
これによって、ログデータ収集装置は、ログデータが収集されればログデータ蓄積部から収集されたログデータ分の容量を空けることができる。
【００１７】
また、本発明は更に、前記ログデータ制御部は、前記パターン認識部が所定のパターンを認識した場合に前記ログデータ蓄積部に蓄積されたログデータを消去すると共に更新指示を前記バーコード生成部に送信することを特徴とするものである。
【００１８】
これによって、ログデータ収集装置は、ログデータが収集されればログデータ蓄積部から収集されたログデータ分の容量を空けることができると共にバーコード表示を更新することができる。
【００１９】
また、本発明は更に、前記更新指示を受信した前記バーコード生成部は、表示すべきログデータが無い旨の表示更新指示を前記表示部に送信することを特徴とするものである。
【００２０】
これによって、ログデータ収集装置は、ログデータが全て収集されれば、表示すべきログデータが無い旨のバーコード表示を更新することができる。
【００２１】
また、本発明は更に、パターン入力部と、前記パターン入力部が入力したパターンを認識するパターン認識部と、を更に備え、前記ログデータ制御部は、前記パターン認識部が所定のパターンを認識した場合に前記ログデータ蓄積部に蓄積されたログデータのうち前記読み込んだログデータを消去すると共に未だ読み込んでいないログデータを読み込んで前記バーコード生成部に送信することを特徴とするものである。
【００２２】
これによって、ログデータ収集装置は、ログデータが収集されればログデータ蓄積部から収集されたログデータ分の容量を空けることができると共に残りのログデータが収集されるようにバーコード表示を更新することができる。
【００２３】
また、本発明は更に、前記未だ読み込んでいないログデータを読み込んだときにログ容量がバーコード化可能な容量を越えない場合には、終了フラグを含めて前記バーコード生成部に送信することを特徴とするものである。
【００２４】
これによって、ログデータ収集装置は、未だ収集されていないログデータが有るか否かを更新表示することができる。
【００２５】
また、本発明は、センサの出力結果をログデータとして生成するログデータ生成ステップと、前記生成されたログデータを蓄積するログデータ蓄積ステップと、前記ログデータ生成ステップが生成するログデータを取得して前記ログデータ蓄積ステップにより蓄積する制御を行うログデータ制御ステップと、ログデータをバーコード化して生成するバーコード生成ステップと、前記バーコード生成ステップが生成するバーコードを表示する表示ステップと、を備え、前記ログデータ制御ステップは、所定時間経過毎に前記ログデータ生成ステップからログデータを取得して前記ログデータ蓄積ステップにより蓄積すると共に前記ログデータ蓄積ステップにより蓄積されたログデータを読み込んで前記バーコード生成ステップに送信し、前記表示ステップは、前記バーコード生成ステップが生成したバーコードを更新表示することを特徴とするログデータ収集方法である。
【００２６】
これによって、無線通信に依存することなく、簡単にログデータを収集することが可能なログデータ収集方法を提供できる。
【００２７】
また、本発明は、ログデータ収集装置と携帯端末とを有するログデータ収集システムであって、前記ログデータ収集装置は、センサの出力結果をログデータとして生成するログデータ生成部と、前記生成されたログデータを蓄積するログデータ蓄積部と、前記ログデータ生成部からログデータを取得して前記ログデータ蓄積部に蓄積する制御を行うログデータ制御部と、ログデータをバーコード化して生成するバーコード生成部と、前記バーコード生成部が生成するバーコードを表示する表示部と、パターン入力部と、前記パターン入力部が入力したパターンを認識するパターン認識部と、を備え、前記携帯端末はバーコードを撮像する撮像部と、前記撮像部が撮像したバーコードを認識して対応するログデータに変換する認識変換部と、前記認識変換部が変換した前記ログデータを記憶するログデータ記憶部と、前記認識変換部が認識した旨を表すパターンを生成するパターン生成部と、前記パターン生成部が生成したパターンを出力するパターン出力部と、を備え、前記ログデータ収集装置のログデータ制御部は、前記パターン入力部が入力した前記携帯端末が出力したパターンを前記パターン認識部により所定のパターンであると認識した場合には前記ログデータ蓄積部に蓄積されたログデータを消去すると共に更新指示を前記バーコード生成部に送信することを特徴とするログデータ収集システムである。
【００２８】
これによって、無線通信に依存することなく、簡単にログデータを収集することが可能なログデータ収集システムを提供できる。
【００２９】
以下、本発明の実施形態について、図面を参照して説明する。
【００３０】
（第１の実施形態）
図１は、第１実施形態におけるログデータ収集システム１０００の概要図である。図１では、利用者である巡回員１０がプラントの一例としてのパイプライン設備２０の巡回地点を巡回している様子を示している。
【００３１】
図１において、ログデータ収集システム１０００は、パイプライン設備２０の巡回地点に設置されたログデータ収集装置１００と、巡回員１０が携帯する携帯端末２００とで構成される。
【００３２】
パイプライン設備２０の巡回地点では、（図示しない）各種センサ類で、温度情報、気圧情報、あるいはパイプライン設備２０のパイプの肉厚減少等の劣化情報、パイプのガス漏れを検出するためのガス濃度情報といった環境情報や運用状況情報が常時監視されている。ログデータ収集装置１００は、これらの情報を取得してログデータとして一時的に蓄積保存するとともにログデータをバーコード化したバーコードを表示している。
【００３３】
なお、ここで説明する“バーコード”とは、１次元コードとしてのバーコードと、ＱＲコード（登録商標）等の多次元のコードも含めた総称である（以降の説明においても同様）。
【００３４】
なお、図１の説明においてログデータ収集装置と各種センサ類とは別々にあるものと説明したがログデータ収集装置にセンサ類が搭載されていても構わない。
【００３５】
巡回員１０は、パイプライン設備２０の巡回地点に到着すると、ログデータ収集装置１００が表示するバーコードを携帯端末２００のカメラにより読み取ることによりログデータを収集している。
【００３６】
図２は、第１実施形態におけるログデータ収集装置１００のブロック図である。図２において、ログデータ収集装置１００は、ログデータ生成部１０１、ログデータ蓄積部１０２、ログデータ制御部１０３、バーコード生成部１０４、表示部１０５、音声入力部１０６、音声認識部１０７を備える。
【００３７】
ログデータ生成部１０１は、例えば、各種センサ類の出力結果（温度情報、気圧情報、ガス濃度情報等）を入力してログデータを生成する。ログデータ生成部１０１は、例えば、マイクロプロセッサ上で動作するプログラムである。
【００３８】
ログデータ蓄積部１０２は、ログデータ生成部１０１が生成するログデータを一時的に蓄積する。ログデータ蓄積部１０２は、例えば、ＲＡＭ（Random Access Memory）やフラッシュメモリ等のメモリである。
【００３９】
ログデータ制御部１０３は、ログデータ生成部１０１、ログデータ蓄積部１０２等の各部の制御を行う。例えば、ログデータ制御部１０３は、ログデータ生成部１０１からログデータを取得してログデータ蓄積部１０２に蓄積する制御を行う。
【００４０】
また、例えば、ログデータ制御部１０３は、ログデータ蓄積部１０２に蓄積されたログデータを読み込んでバーコード生成部１０４にバーコードを生成させる制御を行う。
【００４１】
また、例えば、ログデータ制御部１０３は、音声認識部１０７の認識結果に基づきログデータ蓄積部１０２に蓄積されたログデータの消去やバーコード生成部１０４へのバーコード更新制御、表示部１０５への表示の制御を行う。
【００４２】
バーコード生成部１０４は、ログデータ蓄積部１０２に蓄積されたログデータをコード化してバーコードやＱＲコード（登録商標）等の１次元／多次元のバーコードを生成する。また、生成したバーコードを表示部１０５に表示する制御も行う。バーコード生成部１０４は、例えば、マイクロプロセッサ上で動作するプログラムである。
【００４３】
表示部１０５は、バーコード生成部１０４が生成したバーコードを表示する。表示部１０５は、例えば、ＬＣＤ（liquid crystal display）等のディスプレイである。表示部１０５は、その他にログデータ収集装置１００の状態を表示するためにＬＥＤ（Light Emitting Diode）等を備えていてもよい。
【００４４】
音声入力部１０６は、ログデータ収集装置１００の外部で発生する音声、特に、携帯端末２００から発する音声を入力するためのマイクロフォンである。
【００４５】
音声認識部１０７は、音声入力部１０６から入力した音声が携帯端末２００から発せられた所定の音声か否かを認識する。音声認識部１０７は、例えば、マイクロプロセッサやＤＳＰ（Digital Signal Processor）上で動作するプログラムや音声認識ＩＣ（Integrated Circuit）チップである。
【００４６】
音声認識部１０７は、所定の音声か否かの判断のために、例えば、マイクロプロセッサ等の内部メモリに携帯端末２００との間で予め取り決めた音声パターンを格納してもよい。
【００４７】
図３は、第１実施形態における携帯端末２００のブロック図である。図３において、携帯端末２００は、撮像部２０１、バーコード認識部２０２、ログデータ記憶部２０３、音声生成部２０４、音声出力部２０５を備える。
【００４８】
撮像部２０１は、例えば、ログデータ収集装置１００の表示部１０５に表示されたバーコードを撮像する。撮像部２０１は、例えば、撮像レンズとＣＣＤ（Charge Coupled Devices）やＣＭＯＳ（Complementary Metal Oxide Semiconductor）等の撮像素子とで構成される。バーコードを撮像する他に被写体全般を撮像する一体のカメラモジュールであっても構わない。
【００４９】
バーコード認識部２０２は、撮像部２０１により撮像されたバーコードをログデータとして認識する。撮像部２０１によって撮像されたバーコードが前述のログデータ収集装置１００に表示されたバーコードであれば、バーコード認識部２０２は、ログデータがコード化されたこのバーコードをデコードしてログデータとして認識する。
【００５０】
バーコード認識部２０２は、例えば、マイクロプロセッサ上で動作するプログラムである。
【００５１】
ログデータ記憶部２０３は、バーコード認識部２０２により認識されたログデータを記憶する。また、音声生成部２０４の制御も行う。
【００５２】
ログデータ記憶部２０３は、例えばＲＡＭ（Random Access Memory）やフラッシュメモリ等のメモリとマイクロプロセッサ上で動作するプログラムで構成される。ログデータ記憶部２０３のメモリは、携帯端末２００から取り外し可能なメモリカードであっても構わない。
【００５３】
音声生成部２０４は、所定の音声を生成する。音声生成部２０４は、例えば、ログデータ収集装置１００との間で予め取り決めた音声パターンに基づいてデジタル音声信号を生成しアナログ音声信号に変換して出力する。或いは、単に予め取り決めた録音音声を再生してもよい。音声出力部２０５はスピーカであり、音声生成部２０４が出力されたアナログ音声信号を所定の音声として携帯端末２００から出力する。
【００５４】
音声生成部２０４は、例えばマイクロプロセッサ上で動作するプログラムである。
【００５５】
音声出力部２０５はスピーカであり、音声生成部２０４から出力されたアナログ音声信号を所定の音声として携帯端末２００から出力する。
【００５６】
図４は、第１実施形態におけるログデータの一例を示す図である。図４において、符号３００で示す点線で囲んだ部分は、ログデータ生成部１０１が生成するログデータの一例である。なお、この点線で囲んだ部分は、ログデータ蓄積部１０２に蓄積されたログデータの一例でもある。
【００５７】
符号３０１で示す部分は、例えば、ログデータ生成部１０１がログデータを生成した２０１４年１０月１日の１２時００分のログデータである。例えば、ログデータ生成部１０１が１分毎にログデータを生成するものとしているため、符号３０２で示す部分は、同日の１２時０１分のログデータである。符号３０３で示す部分は、同日の１２時０２分のログデータである。
【００５８】
ログデータは、例えば、符号３０４で示すヘッダー（ログデータ収集装置１００の識別ＩＤの情報と、ログデータ生成時刻の情報）と、符号３０５で示す各種センサ類の出力結果（温度情報、湿度情報、気圧情報、風速情報、ＵＶ指数情報、ＣＯ２濃度情報）から構成される。なお、ログデータの構成は本例に限定されるものではない。
【００５９】
図５は、第１実施形態における蓄積されたログデータと生成するバーコードの例を示す図である。図５において、符号３１０で示す部分は、ログデータ収集装置１００のログデータ蓄積部１０２を模式図的に表したものである。例えば、図４において説明した符号３００で示した点線で囲んだ部分のログデータは、符号３１１で示す模式図下部から上部に向けて蓄積される。
【００６０】
ログデータ生成部１０１が引き続き同日の１２時０３分に生成したログデータは、符号３１１で示す斜線部分の上部に蓄積される。
【００６１】
符号３１２で示す部分は、バーコード生成部１０４がログデータ蓄積部１０２に蓄積されたログデータ（符号３１１で示す斜線部分）を元に生成したバーコードの一例である。
【００６２】
符号３１３で示す部分は、バーコードとしてコード化できるコード容量を表している。即ち、ログデータを符号３１１で示す斜線部分の上部に蓄積する場合に符号３１３で示す部分まではバーコードにすることができる。
【００６３】
例えば、符号３１２で示したＱＲコード（登録商標）の場合はバイナリで最大２，９５３バイト等、バーコードの種類により決まっている。
【００６４】
もしも、符号３１３で示す部分を越えて蓄積したログデータまで一度にバーコードとして表示するのであれば、もう一つ以上のバーコードが必要となる。
【００６５】
図６は、第１実施形態におけるログデータ収集システム１０００のシーケンス図である。本シーケンスに従って、ログデータ収集システム１０００におけるログデータ収集装置１００のログデータ取得からバーコード表示までの過程について説明する。
【００６６】
＜ログデータ収集装置１００の動作＞
図６において、ログデータ制御部１０３は、所定時間（例えば、１分）毎にログデータ生成部１０１に対してログデータの取得を要求する（Ｓｔｅｐ４０１）。
【００６７】
ログデータの取得要求を受信したログデータ生成部１０１は、図４において説明したように、例えば、各種センサ類から温度情報、気圧情報、ガス濃度情報等のデータを入力し、それらデータとログデータ収集装置１００の識別番号情報、情報取得時の時刻情報等を並べたデータ列であるログデータを生成する。
【００６８】
ログデータを取得したログデータ生成部１０１は、生成したログデータをログデータ制御部１０３に送信する（Ｓｔｅｐ４０２）。
【００６９】
ログデータを取得したログデータ制御部１０３は、取得したログデータと今までに取得済みのログデータの合算をコード化した場合のログ容量がバーコード化可能なコード容量を越えているか否かを判断する（Ｓｔｅｐ４０３）。バーコード化可能なコード容量については、図５の例で説明したとおりである。
【００７０】
＜ログ容量がバーコード化可能なコード容量を越えていない場合＞
ログデータ制御部１０３は、Ｓｔｅｐ４０３において、ログ容量がバーコード化可能なコード容量を越えていないと判断した場合には、ログデータ蓄積部１０２に取得したログデータの格納を指示するとともに過去ログデータの取得を要求する（Ｓｔｅｐ４０４）。
【００７１】
取得したログデータの格納指示および格納済みのログデータの取得要求を受信したデータ蓄積部１０２は、ログデータを追加格納するとともに格納済みの全てのログデータを過去ログデータとしてログデータ制御部１０３に送信する（Ｓｔｅｐ４０５）。
【００７２】
ログデータ制御部１０３は、取得した過去ログデータをバーコード生成部１０４の入力となるコード化前のログデータフォーマットに変換して（Ｓｔｅｐ４０６）、バーコード生成部１０４に送信する（Ｓｔｅｐ４０７）。なお、データ蓄積部１０２から取得したログデータをそのままバーコード生成部１０４に渡すようにしても構わない。
【００７３】
バーコード生成部１０４は、取得したログデータをバーコードとしてコード化し（Ｓｔｅｐ４０８）、コード化したバーコードを表示更新指示とともに表示部１０５に送信する（Ｓｔｅｐ４０９）。
【００７４】
表示部１０５では受信したバーコードを更新表示する（Ｓｔｅｐ４１０）。
【００７５】
表示するバーコードは、例えば、図５の符号３１２で示したバーコードである。ログ容量がバーコード化可能なコード容量を越えていない場合であれば、ログ容量がいくつであっても１つのバーコード（表示パターンはログ容量により異なる）で表すことができる。
【００７６】
以上により、所定時間毎にログデータ制御部１０３がログデータの取得を行いログ容量がバーコード化可能なコード容量を越えていないと判断した場合には、表示部１０５にバーコードが更新表示される。
【００７７】
＜ログ容量がバーコード化可能なコード容量を越えている場合＞
他方、Ｓｔｅｐ４０３において、ログデータ制御部１０３は、ログ容量がバーコード化可能なコード容量を越えていると判断した場合には、ログデータ蓄積部１０２に取得したログデータの格納を指示し（Ｓｔｅｐ４２１）、再度、所定時間毎のログデータの取得を行うＳｔｅｐ４０１に戻る。つまり、Ｓｔｅｐ４０４の場合とは異なり過去ログデータを取得してもバーコード化できないため過去ログデータの取得は要求しない。
【００７８】
以上により、所定時間毎にログデータ制御部１０３がログデータの取得を行いログ容量がバーコード化可能なコード容量を越えていると判断した場合には、バーコードの更新表示は行わない。
【００７９】
＜ログデータ収集装置１００の音声認識部１０７の動作＞
上述のログデータ収集装置１００のログデータ取得からバーコード表示までの過程と独立して音声入力部１０６は、ログデータ収集装置１００の外部で発生する音声を入力し、音声認識部１０７へ送信する（Ｓｔｅｐ４３１）。
【００８０】
音声認識部１０７は、音声入力部１０６から入力した音声が携帯端末２００から発せられた所定の音声か否かを、携帯端末２００との間で予め取り決めた音声パターンとの照合により認識する（Ｓｔｅｐ４３２）。ここでは携帯端末２００から発せられた所定の音声ではないため何もせずに終了している例を示している。
【００８１】
なお、Ｓｔｅｐ４０１とＳｔｅｐ４０２においてログデータ制御部１０３がログデータ生成部１０１に対してログデータの取得を要求し、その応答としてログデータ生成部１０１からログデータ制御部１０３にログデータを送信するように説明したが、例えば、ログデータ生成部１０１から所定時間（例えば、１分）毎に自動的にログデータ制御部１０３にログデータを送信するようにしても構わない。
【００８２】
図７は、第１実施形態におけるログデータ収集システム１０００のシーケンス図である。本シーケンスに従って、ログデータ収集システム１０００におけるログデータ収集装置１００が、携帯端末２００によるログデータ収集作業を検知して、ログデータをリセットするまでの過程について説明する。なお、図６で説明したステップと同一の動作を示すステップであればステップ番号の対応付けを示し、説明は簡略化あるいは省略する。
【００８３】
＜携帯端末２００側の動作＞
図７において、携帯端末２００の撮像部２０１は、ログデータ収集装置１００の表示部１０５に表示されたバーコードを撮影し（Ｓｔｅｐ５０１）、バーコード認識部２０２に送信する（Ｓｔｅｐ５０２）。
【００８４】
バーコード認識部２０２は、受信したバーコードをデコードしてフォーマット等を確認してログデータとして認識する（Ｓｔｅｐ５０３）。バーコード認識部２０２は、ログデータとして認識するとログデータをログデータ記憶部２０３に送信する（Ｓｔｅｐ５０４）。
【００８５】
ログデータ記憶部２０３は、ログデータを記録し（Ｓｔｅｐ５０５）、音声生成部２０４に所定の音声の生成を指示する（Ｓｔｅｐ５０６）。
【００８６】
音声生成部２０４は、ログデータ収集装置１００との間で予め取り決めた音声パターンに基づいてデジタル音声信号を生成し、アナログ音声信号に変換して音声出力部２０５に送信する（Ｓｔｅｐ５０７）。音声出力部２０５はアナログ音声信号を所定の音声として携帯端末２００から出力する（Ｓｔｅｐ５０８）。
【００８７】
以上により、携帯端末２００は、ログデータ収集装置１００が表示するバーコードを読み取り、ログデータを記録すると、記録終了を所定の音声により出力する。
【００８８】
＜ログデータ収集装置１００側の動作＞
他方、ログデータ収集装置１００では、図６においてＳｔｅｐ４３１〜Ｓｔｅｐ４３２で説明したように、音声入力部１０６がログデータ収集装置１００の外部で発生する音声を入力し、音声認識部１０７へ送信し（Ｓｔｅｐ５０９）、音声認識部１０７が音声入力部１０６から入力した音声が携帯端末２００から発せられた所定の音声か否かを、携帯端末２００との間で予め取り決めた音声パターンとの照合により認識する（Ｓｔｅｐ５１０）。
【００８９】
音声認識部１０７は、入力した音声が携帯端末２００から発せられた所定の音声であると認識すると、ログデータ制御部１０３にバーコードが携帯端末２００によって読まれたことを通知する（Ｓｔｅｐ５１１）。
【００９０】
ログデータ制御部１０３は、携帯端末２００によって読まれたバーコード（即ち、表示部１０５に表示中のバーコード）にコード化されたログデータ以外にログデータが無ければログデータ蓄積部１０２に対して、ログデータの消去を指示する（Ｓｔｅｐ５１２）。
【００９１】
携帯端末２００によって読まれたバーコードにコード化されたログデータ以外にログデータが有るか無いかは、例えば、図６のＳｔｅｐ４０３で説明した「ログ容量がバーコード化可能なコード容量を越えていない場合」か「ログ容量がバーコード化可能なコード容量を越えている場合」か、と同様に判断してよい。
【００９２】
ログデータ蓄積部１０２は、ログデータを消去する（Ｓｔｅｐ５１３）。
【００９３】
また、ログデータ制御部１０３は、バーコード生成部１０４にバーコードの更新指示を送信する（Ｓｔｅｐ５１４）。バーコード生成部１０４はバーコードを更新し（Ｓｔｅｐ５１５）、バーコードを表示更新指示とともに表示部１０５に送信する（Ｓｔｅｐ５１６）。
【００９４】
表示部１０５では受信したバーコードを更新表示する（Ｓｔｅｐ５１７）。
【００９５】
ここで表示部１０５が表示するバーコードは、例えば、ＬＣＤ（liquid crystal display）等への「空データを示すバーコード」であってもよいし、ＬＥＤ（Light Emitting Diode）等への「ログデータが全て読み取られた状態を表す表示」であってもよい。
【００９６】
更に、上記の状態表示は表示部１０５がログデータ制御部１０３から直接制御を受けて行うようにしてもよい。
【００９７】
以上により、ログデータ収集装置１００は、表示部１０５表示したバーコードが携帯端末２００により読み取られたことを認識すると、ログデータ蓄積部１０２に蓄積しているログデータを消去して表示中のバーコードも更新する。言い換えれば、ログデータ収集装置１００は、携帯端末２００によるログデータ収集作業を検知して、ログデータをリセットする。
【００９８】
（第２の実施形態）
第２の実施形態では、ログデータ収集システム１０００におけるログデータ収集装置１００が、携帯端末２００によるログデータ収集作業を検知して、容量オーバーでコード化できなかったログデータをバーコード表示する例を説明する。
【００９９】
ここで説明する例は、巡回員１０が定期巡回する巡回地点に到着するまでの間に、バーコードの容量を越えるログデータがログデータ収集装置１００のログデータ蓄積部１０２に蓄積されていた場合を示している。
【０１００】
図８は、第２実施形態におけるログデータ収集システム１０００のシーケンス図である。また、図９は、第２実施形態における蓄積されたログデータと生成するバーコードの例を示す図である。図８のシーケンスに従って、容量オーバーでコード化できなかったログデータをバーコード表示するまでの過程について適宜図９を参照しながら説明する。
【０１０１】
なお、図９の符号３２０で示す部分は、図５において説明した符号３１０で示す部分に対応するものでありログデータ収集装置１００のログデータ蓄積部１０２を模式図的に表したものである。
【０１０２】
また、図９の符号３２１で示す部分は、図５において説明した符号３１１で示す部分に対応するものでありログデータ蓄積部１０２に蓄積されたログデータを表したものである。
【０１０３】
図８のシーケンスの説明に当たっては、図６、図７で説明したステップと同一の動作を示すステップであればステップ番号の対応付けを示し、説明は簡略化あるいは省略する。
【０１０４】
＜携帯端末２００側の動作＞
図８において、Ｓｔｅｐ６０１で示すバーコードの読み取りからＳｔｅｐ６０８で示すログデータ記録完了の所定音声出力までの携帯端末２００の動作については、図７で説明したＳｔｅｐ５０１〜Ｓｔｅｐ５０８と同一の動作である。説明は省略する。
【０１０５】
＜ログデータ収集装置１００側の動作＞
また、Ｓｔｅｐ６０９で示す所定音声の入力からＳｔｅｐ６１１で示すバーコードが読まれたことの通知までのログデータ収集装置１００の動作については、図７で説明したＳｔｅｐ５０９〜Ｓｔｅｐ５１１と同一の動作である。よって、Ｓｔｅｐ６１１の後の動作から詳細に説明する。
【０１０６】
ログデータ制御部１０３は、携帯端末２００によって読まれたバーコード（即ち、表示部１０５に表示中のバーコード）にコード化されたログデータ以外にログデータがあるか否かを判断する。この判断については図７において説明したとおりである。
【０１０７】
そしてバーコードにコード化されたログデータ以外にログデータがあると判断すれば、ログデータ蓄積部１０２に対して、携帯端末２００によって読み込まれたログデータ（即ち、携帯端末２００によって読まれたバーコードに対応するログデータ）の消去を指示する（Ｓｔｅｐ６１２）。
【０１０８】
ログデータ蓄積部１０２は、ログデータ制御部１０３により既に読み込まれたログデータを消去する（Ｓｔｅｐ６１３）。
【０１０９】
以上の動作は、ログデータ蓄積部１０２を模式図的に表した図９において符号３２２で示す「１回目の読み取り」の部分のログデータを消去していることに相当する。また、符号３２３で示すバーコードが携帯端末２００によって読まれたバーコードに相当する。
【０１１０】
図８に戻って、ログデータ制御部１０３は、ログデータ蓄積部１０２に次に新しいログデータの取得を要求する（Ｓｔｅｐ６１４）。
【０１１１】
ログデータの取得要求を受信したデータ蓄積部１０２は、格納済みの次のログデータを新しいログデータとしてログデータ制御部１０３に送信する（Ｓｔｅｐ６１５）
【０１１２】
ログデータ制御部１０３は、取得したログデータをバーコード生成部１０４の入力となるコード化前のログデータフォーマットに変換して（Ｓｔｅｐ６１６）、バーコード生成部１０４に送信する（Ｓｔｅｐ６１７）。ここで、ログデータ制御部１０３は、未だログデータが残っているか否かを示すフラグも合わせてバーコード生成部１０４に送信する。
【０１１３】
バーコード生成部１０４は、取得したログデータをバーコードとしてコード化し（Ｓｔｅｐ６１８）、コード化したバーコードを表示更新指示とともに表示部１０５に送信する（Ｓｔｅｐ６１９）。ここで、バーコード生成部１０４は、上述のフラグも合わせてバーコードにコード化する。
【０１１４】
表示部１０５では受信したバーコードを更新表示する（Ｓｔｅｐ６２０）。表示されるバーコードには、上述の未だログデータが残っているか否かを示すフラグも合わせてコード化されているため携帯端末２００側でも全てのログデータを読み取ったのか否かの判断が可能となる。
【０１１５】
以上の動作について、引き続き図９を参照して説明すると、符号３２４で示す部分のログデータが、Ｓｔｅｐ６１４〜Ｓｔｅｐ６１５で説明した「次に新しいログデータ」に相当する。そして符号３２２で示す部分のログデータを消去していることに相当する。
【０１１６】
また、符号３２５で示すバーコードがＳｔｅｐ６１８〜Ｓｔｅｐ６２０で説明した表示部１０５に更新表示されるバーコードに相当する。
【０１１７】
例えば、符号３２５で示すバーコードには「ログデータが残っていることを示すフラグ」がコード化され、符号３２６で示すバーコードには「ログデータが残っていないことを示すフラグ」がコード化されることになる。
【０１１８】
以上説明したように、ログデータ制御部１０３は、携帯端末２００によってバーコードが読まれたことの通知を受信すると、表示部１０５に表示中のバーコードにコード化されたログデータ以外にログデータがあるか否かを判断する。
【０１１９】
そしてバーコードにコード化すべきログデータが残っていれば、ログデータ制御部１０３は、ログデータ蓄積部１０２からログデータの取得を行い、バーコード生成部１０４及び表示部１０５を制御して次のバーコードを更新表示する。
【０１２０】
（第３の実施形態）
第３の実施形態では、第１の実施形態で示したログデータ収集システム１０００のログデータ収集装置１００と携帯端末２００のとの間のログデータ収集完了確認のインタフェースが異なる構成について説明する。
【０１２１】
図１０は、第３実施形態におけるログデータ収集装置１００のブロック図である。図１０において、図２で説明した音声入力部１０６と音声認識部１０７が光パターン入力部１３１と光パターン認識部１３２に置き換わった以外は図２と同一の構成である。よって、同一の構成には同一の符号を付している。
【０１２２】
光パターン入力部１３１は、ログデータ収集装置１００の外部で発生する光パターン、特に、携帯端末２００から発する光パターンを入力するための受光部である。例えば、フォトトランジスタ等である。
【０１２３】
光パターン認識部１３２は、光パターン入力部１３１から入力した光パターンが携帯端末２００から発せられた所定の光パターンか否かを認識する。光パターン認識部１３２は、例えば、マイクロプロセッサやＤＳＰ（Digital Signal Processor）上で動作するプログラムである。
【０１２４】
光パターン認識部１３２は、所定の光パターンか否かの判断のために、例えば、マイクロプロセッサ等の内部メモリに携帯端末２００との間で予め取り決めた光パターン情報を格納してもよい。
【０１２５】
図１１は、第３実施形態における携帯端末２００のブロック図である。図１１において、図３で説明した音声生成部２０４と音声出力部２０５が光パターン生成部２３１と光パターン出力部２３２に置き換わった以外は図３と同一の構成である。よって、同一の構成には同一の符号を付している。
【０１２６】
光パターン生成部２３１は、所定の光パターンを生成する。光パターン生成部２３１は、例えば、ログデータ収集装置１００との間で予め取り決めた光パターン情報に基づいて光パターン信号を生成して出力する。
【０１２７】
光パターン生成部２３１は、例えばマイクロプロセッサ上で動作するプログラムである。
【０１２８】
光パターン出力部２３２は、例えば、ＬＥＤ（Light Emitting Diode）であり、光パターン生成部２３１から出力された光パターン信号を所定の光パターンとして携帯端末２００から出力する。
【０１２９】
図１２は、第３実施形態におけるログデータ収集システム１０００のシーケンス図である。図１２においてＳｔｅｐ７０１〜Ｓｔｅｐ７１１は、図７で説明したログデータ収集装置１００が携帯端末２００によるログデータ収集作業を検知するまでの過程（Ｓｔｅｐ５０１〜Ｓｔｅｐ５１１）に対応する。
【０１３０】
本シーケンスに従って、ログデータ収集システム１０００のログデータ収集装置１００と、携帯端末２００のとの間のインタフェースが異なる構成について説明する。なお、図７で説明したステップと同一の動作を示すステップであればステップ番号の対応付けを示し、説明は簡略化あるいは省略する。
【０１３１】
＜携帯端末２００側の動作＞
図１２において、Ｓｔｅｐ７０１で示すバーコードの読み取りからＳｔｅｐ７０５で示すログデータ記録完了までの携帯端末２００の動作については、図７で説明したＳｔｅｐ５０１〜Ｓｔｅｐ５０５と同一の動作である。よって、Ｓｔｅｐ７０５の後の動作から詳細に説明する。
【０１３２】
ログデータ記憶部２０３は、Ｓｔｅｐ７０５でログデータを記録した後、光パターン生成部２３１に所定の光パターンの生成を指示する（Ｓｔｅｐ７０６）。
【０１３３】
光パターン生成部２３１は、ログデータ収集装置１００との間で予め取り決めた光パターン情報に基づいて光パターン信号を生成して光パターン出力部２３２に送信する（Ｓｔｅｐ７０７）。光パターン出力部２３２は光パターン信号を所定の光パターンとして携帯端末２００から出力する（Ｓｔｅｐ７０８）。
【０１３４】
以上により、携帯端末２００は、ログデータ収集装置１００が表示するバーコードを読み取り、ログデータを記録すると、記録終了を所定の光パターンにより出力する。
【０１３５】
＜ログデータ収集装置１００側の動作＞
他方、ログデータ収集装置１００では、光パターン入力部１３１がログデータ収集装置１００の外部で発生する光パターンを入力し、光パターン認識部１３２へ送信する（Ｓｔｅｐ７０９）。
【０１３６】
光パターン認識部１３２は、光パターン入力部１３１から入力した光パターンが携帯端末２００から発せられた所定の光パターンか否かを、携帯端末２００との間で予め取り決めた光パターン情報との照合により認識する（Ｓｔｅｐ７１０）。
【０１３７】
光パターン認識部１３２は、入力した光パターンが携帯端末２００から発せられた所定の光パターンであると認識すると、ログデータ制御部１０３にバーコードが携帯端末２００によって読まれたことを通知する（Ｓｔｅｐ７１１）。
【０１３８】
以上により、ログデータ収集装置１００と携帯端末２００のとの間のログデータ収集完了確認のインタフェースが異なる構成であっても、ログデータ収集装置１００は、表示部１０５表示したバーコードが携帯端末２００により読み取られたことを認識することができる。
【産業上の利用可能性】
【０１３９】
本発明は、大規模プラント等におけるログデータ収集装置、ログデータ収集システム等に有用である。
【符号の説明】
【０１４０】
１０  巡回員
２０  パイプライン設備
１００  ログデータ収集装置
１０１  ログデータ生成部
１０２  ログデータ蓄積部
１０３  ログデータ制御部
１０４  バーコード生成部
１０５  表示部
１０６  音声入力部
１０７  音声認識部
２００  携帯端末
２０１  撮像部
２０２  バーコード認識部
２０３  ログデータ記憶部
２０４  音声生成部
２０５  音声出力部
１０００  ログデータ収集システム
【図２】
2016184281.tif 000003
【図３】
2016184281.tif 000004
【図４】
2016184281.tif 000005
【図５】
2016184281.tif 000006
【図６】
2016184281.tif 000007
【図７】
2016184281.tif 000008
【図８】
2016184281.tif 000009
【図９】
2016184281.tif 000010
【図１０】
2016184281.tif 000011
【図１１】
2016184281.tif 000012
【図１２】
2016184281.tif 000013
【図１】
2016184281.tif 000014